(57)【要約】【課題】レバーの意図しない外れを抑制することと、嵌合の作業性を向上することと、を両立可能なレバー式コネクタを提供すること。【解決手段】レバー式コネクタは、互いに嵌合可能な第１ハウジング１００及び第２ハウジング２００と、第２ハウジング２００に装着されたレバー３００と、を備える。レバー３００は、レバー３００が嵌合完了位置にあるときに第２ハウジング２００に設けられたハウジング側ロック部２０９に係止するレバー側ロック部３１１を有する。レバー側ロック部３１１が有する延出片は、レバー３００が嵌合完了位置に近付くときにハウジング側ロック部２０９の表面にその先端縁を摺動接触させながら弾性変形し、且つ、レバー３００が嵌合完了位置に到達したときにハウジング側ロック部２０９を乗り越えて弾性回復してハウジング側ロック部２０９に係止する。【選択図】図１
2019008915.tif 000002
【特許請求の範囲】
【請求項１】
互いに嵌合可能な第１ハウジング及び第２ハウジングと、前記第２ハウジングに装着されると共に嵌合開始位置から嵌合完了位置まで移動可能なレバーと、を備えたレバー式コネクタであって、
前記レバーは、
前記第２ハウジングの表面から離れる向きへの弾性変形が可能なレバー側ロック部であって、該レバーが前記嵌合完了位置にあるときに前記第２ハウジングに設けられたハウジング側ロック部に係止するレバー側ロック部、を有し、
前記レバー側ロック部は、
前記ハウジング側ロック部に向けて延びる延出片であって、前記レバーが前記嵌合完了位置に近付くとき、前記ハウジング側ロック部の表面に該延出片の先端縁を摺動接触させながら前記向きに弾性変形し、且つ、前記レバーが前記嵌合完了位置に到達したとき、前記ハウジング側ロック部を乗り越えて前記向きとは逆向きに弾性回復して前記ハウジング側ロック部に係止する延出片、を有する、
レバー式コネクタ。
【請求項２】
請求項１に記載のレバー式コネクタにおいて、
前記レバー側ロック部は、
前記延出片の弾性力を高めるように前記延出片を支持する支持片であって、前記レバーが前記嵌合完了位置に近付いて到達する過程において前記ハウジング側ロック部に弾性的に接触しない支持片、を更に有する、
レバー式コネクタ。
【請求項３】
請求項２に記載のレバー式コネクタにおいて、
前記レバー側ロック部は、
前記支持片として、前記レバーの移動方向に沿って延びる板状の突条部を有し、前記延出片として、前記突条部の両側面から前記突条部に交差するように延びる一対の板状部を有し、
前記ハウジング側ロック部は、
前記一対の板状部が係止される一対の突起部であって、該一対の突起部の間が前記突条部が通過可能な距離だけ離れている一対の突起部、を有する、
レバー式コネクタ。
【発明の詳細な説明】
【技術分野】
【０００１】
本発明は、互いに嵌合可能な第１ハウジング及び第２ハウジングと、第２ハウジングに装着されたレバーと、を備えたレバー式コネクタ、に関する。
【背景技術】
【０００２】
従来から、オスハウジングとメスハウジングとの嵌合を補助するレバーを備えたレバー式コネクタが提案されている（例えば、特許文献１〜３を参照。）。
【０００３】
例えば、従来のレバー式コネクタの一つ（以下「従来コネクタ」という。）では、ハウジングにレバーが回動可能に装着され、相手側のハウジングに突出ピンが設けられる。そして、レバーに設けられたカム孔に突出ピンを挿入した状態にてレバーを嵌合開始位置から嵌合完了位置まで回動させることにより、双方のハウジングが互いに引き寄せられて嵌合するようになっている（例えば、特許文献１を参照。）。
【先行技術文献】
【特許文献】
【０００４】
【特許文献１】特開２０１６−１１０７３５号公報
【特許文献２】特開２０１３−０２６１５４号公報
【特許文献３】特開２００４−３１９１２６号公報
【発明の概要】
【発明が解決しようとする課題】
【０００５】
上述した従来コネクタでは、レバーを嵌合完了位置（本係止位置）に係止した後にレバーが意図せず回動してロック（本係止）が解除されることを防ぐべく、レバーに設けられた係止爪をハウジングに設けられたロックアームに係止させるようになっている。具体的には、ハウジングを相手側のハウジングの内部にある程度挿入した後にレバーを回動させると、レバーの係止爪が、ロックアームと相手側のハウジングの内壁面との間を押し広げながらロックアームの係止点に向けて近付くようになっている。
【０００６】
しかし、上述したように係止爪をロックアームの係止点に近付けるとき、係止爪がロックアームの反力によって相手側のハウジングの内壁面に押し付けられた状態となるため、レバーを嵌合完了位置に移動させるための力（操作力）が大きくなる。よって、従来コネクタは、レバーの係止によってレバーの意図しない外れを抑制できるものの、操作力の増大のために嵌合の作業性を高め難いと考えられる。
【０００７】
本発明は、上述した事情に鑑みてなされたものであり、その目的は、レバーの意図しない外れを抑制することと、嵌合の作業性を向上することと、を両立可能なレバー式コネクタを提供することにある。
【課題を解決するための手段】
【０００８】
前述した目的を達成するために、本発明に係るレバー式コネクタは、下記（１）〜（３）を特徴としている。
（１）
互いに嵌合可能な第１ハウジング及び第２ハウジングと、前記第２ハウジングに装着されると共に嵌合開始位置から嵌合完了位置まで移動可能なレバーと、を備えたレバー式コネクタであって、
前記レバーは、
前記第２ハウジングの表面から離れる向きへの弾性変形が可能なレバー側ロック部であって、該レバーが前記嵌合完了位置にあるときに前記第２ハウジングに設けられたハウジング側ロック部に係止するレバー側ロック部、を有し、
前記レバー側ロック部は、
前記ハウジング側ロック部に向けて延びる延出片であって、前記レバーが前記嵌合完了位置に近付くとき、前記ハウジング側ロック部の表面に該延出片の先端縁を摺動接触させながら前記向きに弾性変形し、且つ、前記レバーが前記嵌合完了位置に到達したとき、前記ハウジング側ロック部を乗り越えて前記向きとは逆向きに弾性回復して前記ハウジング側ロック部に係止する延出片、を有する、
レバー式コネクタであること。
（２）
上記（１）に記載のレバー式コネクタにおいて、
前記レバー側ロック部は、
前記延出片の弾性力を高めるように前記延出片を支持する支持片であって、前記レバーが前記嵌合完了位置に近付いて到達する過程において前記ハウジング側ロック部に弾性的に接触しない支持片、を更に有する、
レバー式コネクタであること。
（３）
上記（２）に記載のレバー式コネクタにおいて、
前記レバー側ロック部は、
前記支持片として、前記レバーの移動方向に沿って延びる板状の突条部を有すると共に、前記延出片として、前記突条部の両側面から前記突条部に交差するように延びる一対の板状部を有し、
前記ハウジング側ロック部は、
前記一対の板状部が係止される一対の突起部であって、該一対の突起部の間が前記突条部が通過可能な距離だけ離れている一対の突起部、を有する、
レバー式コネクタであること。
【０００９】
上記（１）の構成のレバー式コネクタによれば、レバー側ロック部が有する延出片は、レバーを嵌合完了位置に向けて移動させるとき、その先端側の縁（ふち）をハウジング側ロック部に摺動接触させながら弾性変形する。このとき、延出片とハウジング側ロック部とは延出片の先端縁にて接触しているに過ぎず、通常、従来コネクタに比べて両者の接触面積が小さい。その結果、従来コネクタに比べ、レバーを嵌合完了位置に移動させるための力（操作力）が小さくなる。更に、延出片は、レバーが嵌合完了位置に到達したとき、弾性回復してハウジング側ロック部に係止する。これにより、レバーの意図しない外れを抑制できる。
【００１０】
したがって、本構成のレバー式コネクタは、レバーの意図しない外れを抑制することと、嵌合の作業性を向上することと、を両立可能である。
【００１１】
上記（２）の構成のレバー式コネクタによれば、レバー側ロック部が有する延出片が支持片によって支持されており、延出片の弾性力が高められるようになっている。よって、レバーを嵌合完了位置に移動させるための力（操作力）が若干大きくなるものの、レバーの意図しない外れをより確実に抑制できる。更に、支持片はハウジング側ロック部に弾性的に接触しないため、支持片を追加したことによる操作力の増大は生じない。
【００１２】
上記（３）の構成のレバー式コネクタによれば、レバー側ロック部が、板状の突条部（支持片）と、その両側面から延びる一対の板状部（延出片）と、を有する。また、ハウジング側ロック部が、板状の突条部（支持片）が通過可能な距離だけ離れて配置された一対の突起部を有する。これにより、上記（２）の構成を有するレバー式コネクタの一例として、本構成のレバー式コネクタを提供できる。
【発明の効果】
【００１３】
本発明によれば、レバーの意図しない外れを抑制することと、嵌合の作業性を向上することと、を両立可能なレバー式コネクタを提供できる。
【００１４】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１５】
【図１】図１（ａ）は、本発明の実施形態に係るレバー式コネクタを構成するオスハウジングを前方からみた場合の斜視図であり、図１（ｂ）は、本発明の実施形態に係るレバー式コネクタを構成するレバーが装着されたメスハウジングを前方から見た場合の斜視図である。
【図２】図２は、メスハウジングを後方から見た場合の斜視図である。
【図３】図３（ａ）は、レバーの正面図であり、図３（ｂ）は、図３のＡ−Ａ断面で切断されたレバーの一部を示す斜視図である。
【図４】図４は、オスハウジングとメスハウジングとの嵌合開始状態を示すレバー式コネクタの主要断面図（レバーの側壁の厚さ方向中央位置における断面図）である。
【図５】図５は、嵌合開始状態の前の段階にあるレバー式コネクタの正面図である。
【図６】図６は、レバーが本係止位置の直前の位置にある図５のＢ−Ｂ断面に相当するレバー式コネクタの断面図である。
【図７】図７（ａ）は、図６に示すレバー側ロック部及びハウジング側ロック部の周りを拡大した断面図であり、図７（ｂ）は、図７（ａ）に示された部分の斜視図である。
【発明を実施するための形態】
【００１６】
＜実施形態＞
以下、図面を参照しながら、本発明の実施形態に係るレバー式コネクタについて説明する。
【００１７】
本発明の実施形態に係るレバー式コネクタは、図１（ａ）に示すオスハウジング１００と、オスハウジング１００を収容する（オスハウジング１００が内挿される）ようにオスハウジング１００と嵌合する図１（ｂ）及び図２に示すメスハウジング２００と、メスハウジング２００に回動可能に装着される図１（ｂ）及び図３に示すレバー３００と、を備える。
【００１８】
以下、図１に示すように、「嵌合方向」、「幅方向」、「上下方向」、「前」、「後」、「上」、「下」、及び、レバー３００の「回動方向」を定義する。「嵌合方向」、「幅方向」及び「上下方向」は、互いに直交する。更に、「オスハウジング１００とメスハウジング２００との嵌合時」を単純に「嵌合時」とも称呼する。図１（ｂ）は、レバー３００が仮係止位置（嵌合開始位置）にある状態を示しており、レバー３００は、仮係止位置（嵌合開始位置）から回動方向の前方に回動することにより、本係止位置（嵌合完了位置）に向けて移動する。
【００１９】
図１（ａ）に示すように、オスハウジング１００は、樹脂製であり、幅方向に長い角筒状の本体周壁部１０１と、本体周壁部１０１の下端部から幅方向に一体に延在するステー部１０２と、を備える。本体周壁部１０１の内部には、複数（本例では、８本）の電線Ｗ１の端部にそれぞれ接続された複数のオス端子（図示省略）が収容されている。
【００２０】
本体周壁部１０１の上面の幅方向両端付近には、一対の上面リブ１０４が形成されている。一対の上面リブ１０４は、上方向に突出し、且つ、本体周壁部１０１の嵌合方向のほぼ全域に亘って互いに平行に嵌合方向に延びている。本体周壁部１０１の両側面の上側部分及び下側部分には、それぞれ、上側リブ１０５及び下側リブ１０６が形成されている。上側リブ１０５及び下側リブ１０６は、幅方向の外側に突出し、且つ、本体周壁部１０１の後端部付近から嵌合方向中央より若干前方側の位置まで互いに平行に嵌合方向に延びている。
【００２１】
本体周壁部１０１の両側面には、それぞれ、カムボス１０７が形成されている。カムボス１０７は、上側リブ１０５及び下側リブ１０６の前端部の近傍位置に形成され、上側リブ１０５及び下側リブ１０６より大きく幅方向外側に突出している。カムボス１０７の断面形状（カムボス１０７の突出方向に直交する断面の形状）は、嵌合方向に沿って長径が延びる楕円状の形状となっている。
【００２２】
カムボス１０７の近傍に位置する下側リブ１０６の前端部は、嵌合時にレバー３００のレバー側係止部３０４（図３（ａ）他を参照）を幅方向外側へ押圧する押圧部１０８として機能するようになっている（詳細は後述される）。
【００２３】
図１（ｂ）及び図２に示すように、メスハウジング２００は、樹脂製であり、幅方向に長い角筒状の本体周壁部２０１を備える。嵌合時、本体周壁部２０１の内周面とオスハウジング１００の本体周壁部１０１の外周面とが重なるように、オスハウジング１００とメスハウジング２００とが嵌合する（図４及び図５も参照）。本体周壁部２０１の内部には、複数（本例では、８本）の電線Ｗ２の端部にそれぞれ接続された複数のメス端子（図示省略）をそれぞれ収容する複数の端子収容室２０２（図６を参照）が嵌合方向に沿って形成されている。
【００２４】
本体周壁部２０１の上壁の内側面の幅方向両端付近には、一対の上面溝部２０３が形成されている。一対の上面溝部２０３は、上方向に窪み、且つ、本体周壁部１０１の前端から後側に向けて互いに平行に嵌合方向に延びている。本体周壁部２０１の両側壁には、それぞれ、嵌合方向に延びる窓（貫通孔）２０４が形成されている。窓２０４の上縁面２０５及び下縁面２０６は、本体周壁部１０１の前端から後側に向けて互いに平行に嵌合方向に延びている。本体周壁部２０１の両側壁の内側面の前端部には、それぞれ、窓２０４の上縁面２０５及び下縁面２０６の前端部と連続し、且つ、幅方向外側に窪んだ側面溝部２０７が形成されている。
【００２５】
嵌合時、オスハウジング１００の一対の上面リブ１０４が一対の上面溝部２０３に挿入・案内され、オスハウジング１００の一対のカムボス１０７が一対の側面溝部２０７を通過し、オスハウジング１００の一対の上側リブ１０５及び下側リブ１０６が一対の窓２０４の上縁面２０５及び下縁面２０６にそれぞれ当接・案内される。
【００２６】
本体周壁部２０１の両側面の後側における所定位置には、それぞれ、幅方向外側に突出する回動軸２０８が形成されている。この一対の回動軸２０８には、レバー３００の一対の孔３０３（レバー３００とメスハウジング２００との連結部）が嵌め込まれる。よって、レバー３００は、一対の回動軸２０８を中心に回動可能にメスハウジング２００に装着されることになる。
【００２７】
本体周壁部２０１の上面における前後方向中央部且つ幅方向中央部には、上側に向けて突出するハウジング側ロック部２０９が形成されている（図６及び図７も参照）。ハウジング側ロック部２０９は、本係止位置にあるレバー３００を本係止位置に保持するために設けられている（詳細は後述される）。
【００２８】
ハウジング側ロック部２０９は、幅方向に間隔を空けて配置される共に上側に向けて突出する一対の突起部２１０で構成されている。各突起部２１０は、後側面である傾斜面２１１と、上端面である頂面２１２と、前側面である係止面２１３と、を備える（図６及び図７も参照）。
【００２９】
傾斜面２１１は、上下方向に垂直な平面に対して後側に向けて所定角度（例えば、３０度程度）だけ傾斜した平面である。別の言い方をすると、傾斜面２１１は、その法線ベクトルが相対的に大きな上向きの成分及び相対的に小さな後向きの成分のみを有する平面である。頂面２１２は、上下方向に垂直な平面である。係止面２１３は、前後方向に垂直な平面に対して下側に向けて僅かに傾斜した平面である。別の言い方をすると、係止面２１３は、その法線ベクトルが相対的に大きな前向きの成分及び相対的に小さな下向きの成分のみを有する平面である。
【００３０】
図１（ｂ）及び図３に示すように、レバー３００は、樹脂製であり、一対のアーム部３０１と、一対のアーム部３０１の一端同士を繋ぐ連結部３０２と、を有する略Ｕ字状の形状を有する。一対のアーム部３０１には貫通孔である一対の孔３０３が形成されている。一対の孔３０３にメスハウジング２００の一対の回動軸２０８が挿入されることにより、レバー３００は、一対のアーム部３０１がメスハウジング２００の両側面を挟んだ状態にて、メスハウジング２００に対して（一対の回動軸２０８を中心に）回動可能となっている。
【００３１】
一対のアーム部３０１の他端部（自由端部）近傍には、それぞれ、幅方向内側に突出するレバー側係止部３０４が一体に形成されている。図１（ｂ）に示すように、レバー３００が仮係止位置にある状態にて、一対のレバー側係止部３０４が、メスハウジング２００の一対の窓２０４に進入すると共に、一対のレバー側係止部３０４が上縁面２０５と下縁面２０６とに挟まれるように係止されている。レバー側係止部３０４の係止によって、レバー３００が仮係止位置に係止されると共に、レバー３００の本係止位置への移動が禁止される。
【００３２】
このように、一対の窓２０４の一対の下縁面２０６は、係止が解除される前の（仮係止位置にあるレバー３００の）レバー側係止部３０４が、レバー３００の本係止位置への移動に伴って回動方向前方に動こうとする経路上に、レバー側係止部３０４の動きを妨げるように設けられた係止壁として機能する。
【００３３】
各レバー側係止部３０４には、幅方向内側に突出する突出部３０５が形成されている。嵌合時、一対のレバー側係止部３０４の突出部３０５が、オスハウジング１００の一対のカムボス１０７の近傍に位置する押圧部１０８（図１（ａ）を参照）によって押圧されることにより、一対のレバー側係止部３０４が幅方向外側に弾性変形する。その結果、レバー側係止部３０４の下縁面２０６による係止が解除され、レバー３００が仮係止位置から本係止位置に向けて回動方向の前方に移動し得るようになる。
【００３４】
一対のアーム部３０１の幅方向内側面にはそれぞれ、カム溝３０６が形成されている（図３（ｂ）及び図４を参照）。一対のカム溝３０６は、嵌合時、レバー３００の仮係止位置から本係止位置までの回動に伴ってオスハウジング１００の一対のカムボス１０７をカム溝３０６の入口部３０７から最奥部３０８まで引き寄せるために設けられている（詳細は後述される）。なお、各カム溝３０６は、回動方向の後側に位置する側壁３０９と、側壁３０９と連続すると共に回動方向の前側に位置する側壁３１０と、によって画成されている。
【００３５】
レバー３００の連結部３０２の回動方向の前端部の幅方向中央部には、連結部３０２の内側面から突出するレバー側ロック部３１１が形成されている（図１（ｂ）及び図３を参照）。レバー側ロック部３１１は、メスハウジング２００のハウジングロック部２０９（図１（ｂ）及び図２を参照）と協働し、本係止位置にあるレバー３００を本係止位置に保持するために設けられている（詳細は後述される）。
【００３６】
レバー側ロック部３１１は、レバー３００の回動方向に沿って延びる平板状の突条部３１２と、突条部３１２の両側面から連続して突条部３１２に交差するように幅方向外側にそれぞれ延びる一対の板状部３１３と、を備える。一対の板状部３１３は、連結部３０２に対してレバー３００の回動方向の向きに弾性変形可能であり、突条部３１２は、一対の板状部３１３の弾性力を高めるように一対の板状部３１３を支持している。
【００３７】
以下、メスハウジング２００に対してオスハウジング１００を嵌合させる際の動作について説明する。
【００３８】
先ず、レバー３００が仮係止位置に係止されたメスハウジング２００とオスハウジング１００との前面同士を対向配置すると共に、メスハウジング２００に対してオスハウジング１００を嵌合開始状態まで挿入する（図４を参照）。嵌合開始状態では、図４に示すように、オスハウジング１００の一対のカムボス１０７が、レバー３００の一対のカム溝３０６の入口部３０７に位置すると共に、カム溝３０６の側壁３１０に接触開始している。
【００３９】
嵌合開始状態では、一対のレバー側係止部３０４の突出部３０５が一対の押圧部１０８によって押圧されて押圧部１０８に乗り上がることにより、一対のレバー側係止部３０４が幅方向外側に弾性変形している。よって、レバー側係止部３０４の下縁面２０６による係止が解除され、レバー３００が仮係止位置から本係止位置に移動可能な状態となっている。
【００４０】
このため、嵌合開始状態にて、メスハウジング２００に対してオスハウジング１００を嵌合方向に更に押圧すると、カムボス１０７がカム溝３０６の側壁３１０を押圧することで、レバー３００が仮係止位置から本係止位置に向けて回動開始する。または、嵌合開始状態にて、作業者による手作業等によって、レバー３００に対して回動方向前向きのモーメントを直接与えることで、レバー３００が仮係止位置から本係止位置に向けて回動開始する。
【００４１】
このように、レバー３００が仮係止位置から本係止位置に向けて回動開始した後、レバー３００を本係止位置に向けて更に回動させていく。そして、カム溝３０６の側壁３０９がカムボス１０７をメスハウジング２００の後方へ向けて押圧することにより、レバー３００の回動の進行に応じ、カムボス１０７（ひいては、オスハウジング１００）が、メスハウジング２００の後方へ向けて引き寄せられていく。
【００４２】
そして、レバー３００が本係止位置に到達すると、カムボス１０７がカム溝３０６の最奥部３０８（図４を参照）に達してオスハウジング１００が嵌合完了状態となると共に、レバー３００のレバー側ロック部３１１（図３他を参照）がメスハウジング２００のハウジング側ロック部２０９（図２）他を参照）に当接・保持される。これにより、オスハウジング１００とメスハウジング２００とにそれぞれ設けられている不図示のオス端子とメス端子との導通接続が完了すると共に、レバー３００が本係止位置に保持される。
【００４３】
以下、図６及び図７を参照しながら、レバー側ロック部３１１がハウジング側ロック部２０９に当接・保持される際の動作について述べる。
【００４４】
仮係止位置から本係止位置に向けて回動方向前方に回動するレバー３００が、本係止位置の直前の所定の回動位置まで到達すると、レバー側ロック部３１１の一対の板状部３１３の先端縁が、ハウジング側ロック部２０９における一対の突起部２１０の一対の傾斜面２１１に接触開始する（図６及び図７を参照）。
【００４５】
このとき、レバー側ロック部３１１の突条部３１２が、一対の突起部２１０の間の空間に進入開始する（図７（ｂ）を参照）。しかし、一対の突起部２１０の間が、突条部３１２が通過可能な距離だけ幅方向に離れている。このため、突条部３１２は、一対の突起部２１０に弾性的に接触しない。なお、その後のレバー３００が本係止位置に到達するまでの過程においても、突条部３１２は、一対の突起部２１０には終始接触しない。
【００４６】
板状部３１３の先端縁が傾斜面２１１に接触開始した後、レバー３００を本係止位置に向けて更に回動方向前方に回動させていくと、板状部３１３が回動方向後向き（したがって、メスハウジング２００の表面から離れる向き）に弾性変形しながら、板状部３１３の先端縁が、傾斜面２１１上を頂面２１２に向けて摺動していく。
【００４７】
このとき、板状部３１３と傾斜面２１１とは板状部３１３の先端縁にて接触しているに過ぎず、板状部３１３と傾斜面２１１との接触面積は小さい。このため、板状部３１３の先端縁の傾斜面２１１に対する擦動摩擦力が小さくなるので、この擦動摩擦力に抗してレバー３００を本係止位置に向けて回動させるための力（操作力）も小さくなる。
【００４８】
レバー３００を本係止位置に向けて更に回動方向前方に回動させていくと、板状部３１３が回動方向後向きに弾性変形した状態を維持しながら、板状部３１３の先端縁が、傾斜面２１１上から頂面２１２上に移動し、頂面２１２上を係止面２１３に向けて摺動していく（即ち、突起部２１０に乗り上がる）。
【００４９】
そして、レバー３００が本係止位置に到達すると、板状部３１３の先端縁が突起部２１０を乗り越える。この結果、板状部３１３が弾性回復して、板状部３１３（の回動方向後側面）が突起部２１０の係止面２１３に係止する。これにより、レバー３００の意図しない外れが抑制され得る。更に、上述したように係止面２１３が下向きに僅かに傾斜していることにより、レバー３００の意図しない外れがより一層確実に抑制され得る。
【００５０】
なお、このように、板状部３１３が係止面２１３に係止している状態で、ハウジング側ロック部２０９を有するロックアーム２１４が変位されることにより、板状部３１３の係止面２１３に対する係止が解除される。この結果、レバー３００が本係止位置から仮係止位置に向けて回動可能な状態となる。
【００５１】
以上、本発明の実施形態に係るレバー式コネクタによれば、レバー側ロック部３１１が有する一対の板状部３１３は、レバー３００を本係止位置（嵌合完了位置）に向けて移動させるとき、その先端縁をハウジング側ロック部２０９における一対の突起部２１０の一対の傾斜面２１１に摺動接触させながら弾性変形する。このとき、板状部３１３と傾斜面２１１とは板状部３１３の先端縁にて接触しているに過ぎず、通常、従来コネクタに比べ接触面積が小さくなる。その結果、従来コネクタに比べ、レバー３００を本係止位置（嵌合完了位置）に移動させるための力（操作力）が小さくなる。更に、板状部３１３は、レバー３００が本係止位置（嵌合完了位置）に到達したとき、弾性回復してハウジング側ロック部２０９の係止面２１３に係止する。これにより、レバー３００の意図しない外れを抑制できる。
【００５２】
したがって、本構成のレバー式コネクタは、レバー３００の意図しない外れを抑制することと、嵌合の作業性を向上することと、を両立可能である。
【００５３】
更に、一対の板状部３１３が突条部３１２によって支持されており、板状部３１３の弾性力が高まるようになっている。よって、レバー３００を本係止位置（嵌合完了位置）に移動させるための力（操作力）が多少大きくなるものの、レバー３００の意図しない外れをより確実に抑制できる。更に、突条部３１２は一対の突起部２１０（ハウジング側ロック部２０９）に接触しないため、突条部３１２を追加しても操作力に変化はない。
【００５４】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
例えば、上記実施形態では、レバー側ロック部３１１は、一対の板状部３１３に加えて、一対の板状部３１３を支持する突条部３１２を有している。これに対し、レバー側ロック部３１１が、単一の板状部３１３のみで構成され、突条部３１２を有していなくてもよい。
【００５６】
更に、上記実施形態では、一対の板状部３１３が一対の突起部２１０に係止される。これに対し、単一の板状部３１３が単一の突起部２１０に係止されるように構成されてもよい。
【００５７】
更に、レバー３００が回動軸２０８周りに回動可能であるようにメスハウジング２００に装着されている。これに対し、レバー３００は、メスハウジング２００に対してスライドするように移動可能であるようにメスハウジング２００に装着されてもよい。
【００５８】
ここで、上述した本発明に係るレバー式コネクタの実施形態の特徴をそれぞれ以下（１）〜（３）に簡潔に纏めて列記する。
（１）
互いに嵌合可能な第１ハウジング（１００）及び第２ハウジング（２００）と、前記第２ハウジング（２００）に装着されると共に嵌合開始位置から嵌合完了位置まで移動可能なレバー（３００）と、を備えたレバー式コネクタであって、
前記レバー（３００）は、
前記第２ハウジング（２００）の表面から離れる向きへの弾性変形が可能なレバー側ロック部（３１１）であって、該レバー（３００）が前記嵌合完了位置にあるときに前記第２ハウジング（２００）に設けられたハウジング側ロック部（２０９）に係止するレバー側ロック部（３１１）、を有し、
前記レバー側ロック部（３１１）は、
前記ハウジング側ロック部（２０９）に向けて延びる延出片（３１３）であって、前記レバー（３００）が前記嵌合完了位置に近付くとき、前記ハウジング側ロック部（２０９）の表面に該延出片（３１３）の先端縁を摺動接触させながら前記向きに弾性変形し、且つ、前記レバー（３００）が前記嵌合完了位置に到達したとき、前記ハウジング側ロック部（２０９）を乗り越えて前記向きとは逆向きに弾性回復して前記ハウジング側ロック部（２０９）に係止する延出片（３１３）、を有する、
レバー式コネクタ。
（２）
上記（１）に記載のレバー式コネクタにおいて、
前記レバー側ロック部（３１１）は、
前記延出片（３１３）の弾性力を高めるように前記延出片（３１３）を支持する支持片（３１２）であって、前記レバー（３００）が前記嵌合完了位置に近付いて到達する過程において前記ハウジング側ロック部（２０９）に弾性的に接触しない支持片（３１２）、を更に有する、
レバー式コネクタ。
（３）
上記（２）に記載のレバー式コネクタにおいて、
前記レバー側ロック部（３１１）は、
前記支持片として、前記レバー（３００）の移動方向に沿って延びる板状の突条部（３１２）を有し、前記延出片として、前記突条部（３１２）の両側面から前記突条部（３１２）に交差するように延びる一対の板状部（３１３）を有し、
前記ハウジング側ロック部（２０９）は、
前記一対の板状部（３１３）が係止される一対の突起部（２１０）であって、該一対の突起部（２１０）の間が前記突条部（３１２）が通過可能な距離だけ離れている一対の突起部（２１０）、を有する、
レバー式コネクタ。
【符号の説明】
【００５９】
１００    オスハウジング（第１ハウジング）
１０８    押圧部
２００    メスハウジング（第２ハウジング）
２０９    ハウジング側ロック部
２１０    突起部
３００    レバー
３１１    レバー側ロック部
３１２    突条部（支持片）
３１３    板状部（延出片）
【図１】
2019008915.tif 000003
【図２】
2019008915.tif 000004
【図３】
2019008915.tif 000005
【図４】
2019008915.tif 000006
【図５】
2019008915.tif 000007
【図６】
2019008915.tif 000008
【図７】
2019008915.tif 000009